(57)【要約】【課題】開封性を向上させる。【解決手段】包装体ＸＡ１は、剛性のない柔らかい材質からなるフィルムであって、物品ＺＡ１を充填するポケット１０が成型されて、当該ポケット１０の外周が本体フランジ１１となる本体フィルムＹＡ１と、ポケット１０に充填された物品ＺＡ１を覆う被覆面１５、及び当該被覆面１５の外側の蓋フランジ１６を有し、当該蓋フランジ１６で本体フランジ１１とシールされる蓋フィルムＹＡ２と、を備えている。本体フランジ１１及び蓋フランジ１６は、それぞれ、互いに対面する領域であって、かつ、外縁の少なくとも一部を含む一部の領域が、互いにシールされていない未シール領域１３，１８である。本体フランジ１１は、外縁の少なくとも一部のみが波打った波打部１４を未シール領域１３に設けている。包装体ＸＡ１は、波打部１４から引きはがされて開封されることを可能とする。【選択図】図２
2014114047.tif 000002
【特許請求の範囲】
【請求項１】
剛性のない柔らかい材質からなるフィルムであって、物品を充填するポケットが成型されて、該ポケットの外周が本体フランジとなる本体フィルムと、
前記ポケットに充填された物品を覆う被覆面、及び該被覆面の外側の蓋フランジを有し、該蓋フランジで前記本体フランジとシールされる蓋フィルムと、を備え、
前記本体フランジ及び前記蓋フランジは、それぞれ、互いに対面する領域であって、かつ、外縁の少なくとも一部を含む一部の領域が、互いにシールされていない未シール領域であり、
前記本体フランジ及び前記蓋フランジの少なくとも一方は、外縁の少なくとも一部のみが波打った波打部を前記未シール領域に設け、
前記波打部から引きはがされて開封されることを可能とすることを特徴とする、
包装体。
【請求項２】
前記本体フランジ及び前記蓋フランジは、互いの外縁が略一致する角を有し、
前記未シール領域は、前記本体フランジ及び前記蓋フランジの前記角を含む領域にあり、
前記波打部は、前記角に沿って設けられていることを特徴とする、
請求項１に記載の包装体。
【請求項３】
前記波打部は、前記本体フィルムのみに備えられると共に、前記ポケットの成型時に該ポケットと同時に成型されることを特徴とする、
請求項１又は２に記載の包装体。
【発明の詳細な説明】
【技術分野】
【０００１】
本発明は、物品を包装した包装体に関する。
【背景技術】
【０００２】
薄切りハムなどの食品は、深絞り包装機によって包装されることがある。深絞り包装機は、上流側から順に、下部フィルム供給部、ポケット成型部、充填部、上部フィルム供給部、真空シール部、カット部などを備えている。
【０００３】
下部フィルム供給部は、包装体数個（例えば３個）分程度の幅を有する下部フィルムを連続して供給する。ポケット成型部は、金型でプレスして下部フィルムにポケットを成型する。充填部は、ポケットに食品を充填する。上部フィルム供給部は、下部フィルムと略同じ幅の上部フィルムを連続して供給し、下部フィルムに蓋をする。真空シール部は、真空引きを行ってからフィルムをシールする。カット部は、フィルムを縦横にカット（切断）して、矩形の包装体にする。
【０００４】
このような包装体は、四つ角のうちの一つの角に、フィルムがシールされていない未シール領域を設けた構成であり、その未シール領域からフィルムを引きはがすことで開封される。そして、包装体の中には、未シール領域に手指が引っ掛かる突起を設け、開封動作を支援したものもある（例えば、特許文献１参照）。
【先行技術文献】
【特許文献】
【０００５】
【特許文献１】特許第４２２００２７号公報（図１〜図３参照）
【発明の概要】
【発明が解決しようとする課題】
【０００６】
しかしながら、未シール領域に突起が設けられている場合であっても、手指が水や油で汚れているときには、手指が滑って突起に引っ掛からず、うまく開封することができないことがある。特に、カット部によるカットに起因して未シール領域の縁が密着している場合には尚更である。
【０００７】
なお、このような問題は、食品の包装体の場合に限らず、日用品その他の物品の包装体の場合に共通して想定される。
【０００８】
本発明は、上記課題を鑑みてなされたものであり、開封性を向上させた包装体を提供することを目的とする。
【課題を解決するための手段】
【０００９】
（１）本発明は、剛性のない柔らかい材質からなるフィルムであって、物品を充填するポケットが成型されて、該ポケットの外周が本体フランジとなる本体フィルムと、前記ポケットに充填された物品を覆う被覆面、及び該被覆面の外側の蓋フランジを有し、該蓋フランジで前記本体フランジとシールされる蓋フィルムと、を備え、前記本体フランジ及び前記蓋フランジは、それぞれ、互いに対面する領域であって、かつ、外縁の少なくとも一部を含む一部の領域が、互いにシールされていない未シール領域であり、前記本体フランジ及び前記蓋フランジの少なくとも一方は、外縁の少なくとも一部のみが波打った波打部を前記未シール領域に設け、前記波打部から引きはがされて開封されることを可能とすることを特徴とする、包装体である。或いは、物品を収納する凹状のポケット部を有し且つ当該ポケット部の周囲にフランジ部が形成されている本体フィルムと、当該本体フィルムの前記フランジ部においてシールされ前記ポケット部を密封する蓋フィルムと、を備える包装体であって、当該包装体の周縁部の少なくとも１箇所に前記本体フィルムと前記蓋フィルムとの未シール部を設け、当該未シール部において前記本体フィルム及び前記蓋フィルムの少なくとも一方の端縁部を波打ち形状とすることで開封部を形成したことを特徴とする、包装体である。
【００１０】
本発明によれば、波打部のスプリング効果により、本体フィルムと蓋フィルムとの間に確実に隙間を形成することができる。すなわち、外縁のみが波打部となるように成型したことにより、未シール領域（摘み部）全体に凹凸（波打部）を成型した場合（図６（Ａ）参照）と比較して凹凸の成型部の根元の変形量が大きく（図６（Ｂ）参照）、スプリング効果（復元力）を強くすることができ、製造時（切断時）にフィルムの縁が密着することを防止できる。また、波打部がフィルムの外縁のみに成型されていて腰があるので、開封する際に、フィルムの外縁が変形しにくく、フィルムを引きはがしやすい。
【００１１】
（２）本発明はまた、前記本体フランジ及び前記蓋フランジは、互いの外縁が略一致する角を有し、前記未シール領域は、前記本体フランジ及び前記蓋フランジの前記角を含む領域にあり、前記波打部は、前記角に沿って設けられていることを特徴とする、上記（１）に記載の包装体である。
【００１２】
（３）本発明はまた、前記波打部は、前記本体フィルムのみに備えられると共に、前記ポケットの成型時に該ポケットと同時に成型されることを特徴とする、上記（１）又は（２）に記載の包装体である。
【００１３】
上記発明によれば、波打部を成型するために、個別の工程を設ける必要がなく、製造が簡単である。
【発明の効果】
【００１４】
本発明の上記（１）〜（３）のいずれかに記載の発明によれば、包装体によれば、手指が水や油で汚れている場合であっても、容易に開封することができる。すなわち、上記包装体の開封性は、従来と比較して向上している。
【図面の簡単な説明】
【００１５】
【図１】本発明の実施形態に係る包装体を製造する深絞り包装機を示す概略図である。
【図２】包装体の外観斜視図である。
【図３】包装体の分解斜視図である。
【図４】包装体の開封方法を説明する概略図である。
【図５】包装体の変形例を示す側面図である。
【図６】波打部のスプリング効果を説明する図であり、（Ａ）は摘み部の全体に凹凸を形成した従来の場合を示し、（Ｂ）は摘み部の外縁のみに波打部を形成した場合を示す。
【発明を実施するための形態】
【００１６】
以下、図面を参照して、本発明の実施形態に係る包装体について詳細に説明する。
【００１７】
まず、図１を用いて、包装体ＸＡ１を製造する深絞り包装機１の構成について説明する。図１は、深絞り包装機１を示す概略図である。なお、各図において、一部の構成を適宜省略して、図面を簡略化する。そして、各図において、部材の大きさを適宜誇張して表現する。
【００１８】
図１に示される深絞り包装機１は、薄切りハムなどの物品ＺＡ１（図２及び図３参照）を順次包装するラインで使用される。この深絞り包装機１は、フィルム搬送装置（図示省略）によって帯状のフィルムＹＡ１，ＹＡ２を搬送しながら、物品ＺＡ１を順次包装して、包装体ＸＡ１を製造する。具体的に、深絞り包装機１は、上流側から順に、本体フィルム供給部２、ポケット成型部３、充填部４、蓋フィルム供給部５、真空シール部６、横カット部７、縦カット部８などに分類される。
【００１９】
本体フィルム供給部２は、包装体ＸＡ１数個（本実施形態では３個）分程度の幅を有する本体フィルムＹＡ１を連続して供給する。ポケット成型部３は、金型（符号省略）でプレスして本体フィルムＹＡ１にポケット（符号省略）を成型する。充填部４は、ポケットに物品ＺＡ１（図２及び図３参照）を充填する。蓋フィルム供給部５は、本体フィルムＹＡ１と略同じ幅の蓋フィルムＹＡ２を連続して供給し、本体フィルムＹＡ１に蓋をする。真空シール部６は、真空引きを行ってからフィルムＹＡ１，ＹＡ２をシールする。横カット部７は、フィルムＹＡ１，ＹＡ２を横方向（幅方向）にカットして複数連（本実施形態では３連）の包装体ＸＡ１にする。縦カット部８は、複数連の包装体ＸＡ１を縦方向（搬送方向）にカットして、個々の包装体ＸＡ１にする。
【００２０】
次に、図２及び図３を用いて、包装体ＸＡ１の構成について説明する。図２は、包装体ＸＡ１の外観斜視図である。図３は、包装体ＸＡ１の分解斜視図である。
【００２１】
図２及び図３に示される包装体ＸＡ１は、深絞り包装機１（図１参照）において、二枚のフィルムＹＡ１，ＹＡ２で物品ＺＡ１を包装したものである。具体的に、包装体ＸＡ１は、積層された二枚のフィルムＹＡ１，ＹＡ２の間に物品ＺＡ１を包装したものであり、フィルムＹＡ１，ＹＡ２を引きはがすことで開封される。なお、フィルムＹＡ１，ＹＡ２は、手指で簡単に撓む材質からなる。すなわち、フィルムＹＡ１，ＹＡ２は、特許第４２２００２７号で開示される包装体のフィルムのように、剛性のない軟らかい材質からなる。
【００２２】
本体フィルムＹＡ１は、四つ角が面取りされた矩形状を呈する。この本体フィルムＹＡ１は、物品ＺＡ１を充填するポケット１０が成型されて、当該ポケット１０の外周が本体フランジ１１となっている。本体フランジ１１は、蓋フィルムＹＡ２とシールされたシール領域１２（図３においてハッチングで図示）と、蓋フィルムＹＡ２とシールされていない未シール領域１３と、に分けられる。未シール領域１３は、蓋フィルムＹＡ２と対面する領域であって、かつ、外縁の少なくとも一部を含む領域である。具体的に、未シール領域１３は、四つ角の一つの角を含む領域にあり、開封開始端として機能する。未シール領域１３には、波打部１４が設けられている。波打部１４は、外縁の少なくとも一部のみが波打つように、角に沿って設けられている。この波打部１４は、ポケット成型部３において、ポケット１０の成型時に当該ポケット１０と同時に成型されたものである。なお、波打部１４として、ギザギザに角張って波打つ場合が図示されているが、これに限定されず、曲線状に波打つようにしてもよい。そして、未シール領域１３には、波打部１４とは別に、独立して、突起などを設けるようにしてもよい。
【００２３】
蓋フィルムＹＡ２は、四つ角が面取りされた矩形状を呈する。蓋フィルムＹＡ２の外縁は、本体フィルムＹＡ１の外縁と略一致する。すなわち、蓋フィルムＹＡ２の四つ角は、本体フィルムＹＡ１の四つ角と一致する。この蓋フィルムＹＡ２は、本体フィルムＹＡ１のポケット１０に充填された物品ＺＡ１を被覆面１５で覆うと共に、被覆面１５の外側の蓋フランジ１６で本体フィルムＹＡ１の本体フランジ１１にシールされる。蓋フランジ１６は、本体フィルムＹＡ１とシールされたシール領域１７（図３においてハッチングで図示）と、本体フィルムＹＡ１とシールされていない未シール領域１８と、に分けられる。未シール領域１８は、本体フィルムＹＡ１と対面する領域であって、かつ、外縁の少なくとも一部を含む領域である。具体的に、未シール領域１８は、四つ角の一つの角を含む領域であり、開封開始端として機能する。
【００２４】
次に、図４（Ａ）及び図４（Ｂ）を用いて、包装体ＸＡ１の開封方法を説明する。図４（Ａ）及び図４（Ｂ）は、包装体ＸＡ１の開封方法を説明する概略図である。
【００２５】
図４（Ａ）及び図４（Ｂ）に示されるように、本体フィルムＹＡ１の未シール領域１３の縁（波打部１４）、又は蓋フィルムＹＡ２の未シール領域１８の縁に指先を引っ掛けてから、フィルムＹＡ１，ＹＡ２を引きはがし、開封する。特に、図４（Ａ）に示されるように、波打部１４から引きはがして開封する。
【００２６】
このように、包装体ＸＡ１によれば、波打部１４のスプリング効果により、本体フィルムＹＡ１と蓋フィルムＹＡ２との間に確実に隙間を形成することができる。すなわち、外縁のみが波打部１４となるように成型したことにより、未シール領域（摘み部）全体に凹凸（波打部）を成型した場合と比較して腰がなく撓みやすいため、変形量が大きく、スプリング効果（復元力）を強くすることができ、製造時（切断時）にフィルムＹＡ１，ＹＡ２の縁が密着することを防止できる。また、波打部１４が本体フィルムＹＡ１の外縁のみに成型されていて腰があるので、開封する際に、フィルムＹＡ１，ＹＡ２の外縁が変形しにくく、フィルムＹＡ１，ＹＡ２を引きはがしやすい。結果として、手指が水や油で汚れている場合であっても、容易に開封することができる。すなわち、包装体ＸＡ１の開封性は、従来と比較して向上している。
【００２７】
ところで、包装体の開封時にフィルム間の隙間に指をかけて摘み部を摘む場合（図４に示すような場合）、当該摘み部に腰があるとフィルムをめくりにくい。そこで、本発明においては、摘み部（未シール領域１３，１８）の外縁を波打たせ、腰を無くしているので、摘み部をめくり易く掴み易い。また、未シール部の全体に凹凸（例えば、ゴザ目）を形成するのではなく、未シール部（未シール領域１３，１８）の少なくとも一部に平坦部分（未加工部分）を残しているので、摘み部（未シール領域１３，１８）を摘んで包装体ＸＡ１を開封する際には、外縁の波打部１４が手指に引っ掛かり、滑り止めとしての機能も兼ね備えている。
【００２８】
本発明は、上記実施形態に限られるものではなく、その趣旨及び技術思想を逸脱しない範囲で種々の変形が可能である。
【００２９】
すなわち、上記実施形態において、各構成の位置、大きさ、長さ、形状、材質などは適宜変更できる。
【００３０】
あるいは、上記実施形態では、本体フィルムＹＡ１のみに波打部１４を成型しているが、本発明は、これに限定されず、本体フィルムＹＡ１と蓋フィルムＹＡ２の少なくとも一方に波打部を成型していればよい。すなわち、図５（Ａ）に示されるように、蓋フィルムＹＡ２に波打部１９を成型してもよい。あるいは、図５（Ｂ）に示されるように、本体フィルムＹＡ１及び蓋フィルムＹＡ２の双方に波打部１４，１９を成型してもよい。具体的に、蓋フィルムＹＡ２の未シール領域１８に波打部を成型する場合には、本体フィルムＹＡ１の未シール領域１３に波打部１４を成型する場合と同様、外縁の少なくとも一部のみが波打ったものにする。そして、蓋フィルムＹＡ２の角に沿って成型したものにする。
【００３１】
あるいは、上記実施形態では、本体フィルムＹＡ１の表面から、ポケット１０が突出する側（図では上方）に突出するように、波打部１４を成型しているが、図５（Ｃ）に示されるように、本体フィルムＹＡ１の表面から突出しないように波打部を成型するようにしてもよい。
【００３２】
あるいは、上記実施形態において、本体フィルムＹＡ１の未シール領域１３を、ポケット１０が突出する側（図では上方）に突出させて、本体フィルムＹＡ１の未シール領域１３と、蓋フィルムＹＡ２の未シール領域１８と、を積極的に離隔するように成型してもよい（図５（Ｄ）参照）。
【符号の説明】
【００３３】
１０  ポケット
１１  本体フランジ
１３  未シール領域
１４  波打部
１５  被覆面
１６  蓋フランジ
１８  未シール領域
１９  波打部
ＸＡ１  包装体
ＹＡ１  本体フィルム
ＹＡ２  蓋フィルム
ＺＡ１  物品
【図１】
2014114047.tif 000003
【図２】
2014114047.tif 000004
【図３】
2014114047.tif 000005
【図４】
2014114047.tif 000006
【図５】
2014114047.tif 000007
【図６】
2014114047.tif 000008